(57)【要約】      （修正有）【課題】火災のおそれがなく、また乾電池を使用することなく、電球を長時間点灯しておくことができ、しかも取り扱いが簡単に行える火立て付き経机の提供。【解決手段】天板２に火立て１２が立設された経机であって、火立て１２の下部と天板２の上面のうちのいずれか一方にコンセント４Ａが埋め込まれ、他方には第一プラグ１６が取り付けられており、火立て１２の上端から下端にわたって貫通孔１３が形成され、火立て１２の上端には貫通孔１３と連通する白色筒状部材１０が立設され、白色筒状部材１０の上端には電球１８のソケット１５が取り付けられ、ソケットと火立て下部のコンセントまたは第一プラグとが貫通孔１３から白色筒状部材内に挿通された電気コード１７で接続されており、天板前面に設けられたスイッチと火立てのコンセントまたは第一プラグ１６と壁等のコンセントに差し込まれる第二プラグとが電気コードで接続されている。【選択図】図１
0003123968.tif 000002
【実用新案登録請求の範囲】
【請求項１】
天板に火立てが立設された経机であって、火立ての下部と天板の上面のうちのいずれか一方にコンセントが埋め込まれ、他方には第一プラグが取り付けられており、火立ての上端から下端にわたって貫通孔が形成され、火立ての上端には前記貫通孔と連通する白色筒状部材が立設され、白色筒状部材の上端には電球のソケットが取り付けられ、ソケットと火立て下部の前記コンセントまたは第一プラグとが前記貫通孔から前記白色筒状部材内に挿通された火立て用電気コードで接続されており、天板の所定位置に設けられたスイッチと前記火立てのコンセントまたは第一プラグと壁等のコンセントに差し込まれる第二プラグとが電気コードで接続されている、火立て付き経机。
【請求項２】
第一プラグが火立ての下部に取り付けられ、コンセントが天板上面に埋め込まれている、請求項１記載の火立て付き経机。
【請求項３】
火立てが左右一対で立設されている、請求項１または請求項２記載の経机。
【請求項４】
スイッチが天板の前面に取り付けられ、スイッチ用電気コードおよびプラグ用電気コードが天板の上面下方に配設されている、請求項１〜請求項３のうちのいずれか一項記載の火立て付き経机。
【考案の詳細な説明】
【技術分野】
【０００１】
本考案は、経本を読むのに使用される経机に関する。
【背景技術】
【０００２】
一般に、仏壇の前等に置かれる経机の上には、左右一対の火立てが置かれ、該火立ての上端部にロウソクが立てられて、該ロウソクにマッチ等で火が付けられる。
【０００３】
また、近年、火立ての上部に上記ロウソクに代えて白色の円筒状部材を一体に立設し、該円筒部材の上部にソケットを設け、該ソケットにロウソクの炎のような形状の電球を取り付けて、当該火立て内に収納された乾電池を電源として上記電球が点灯するようにした火立ても知られている。
【考案の開示】
【考案が解決しようとする課題】
【０００４】
前述した従来例のうち、本物のロウソクを用いる火立ての場合、ロウソクが燃え尽きた場合には、その都度、ロウソクを交換する必要があり、また実際にロウソクに火をつけているため、ロウソクが倒れたり、ロウソクの火が仏壇やその付近のものに燃え移ったりした場合には、火災のおそれがあった。
【０００５】
一方、電球を用いた火立ての場合、前述したような火災のおそれがないものの、乾電池式であるため、電球を毎日長時間点灯しておく場合には、頻繁に乾電池を交換しなければならないという不都合があった。
【０００６】
本考案の目的は、火災のおそれがなく、また乾電池を使用することなく、電球を長時間点灯しておくことができ、しかも取り扱いが容易な火立て付き経机を提供することにある。
【課題を解決するための手段】
【０００７】
請求項１記載の本考案は、天板に火立てが立設された経机であって、火立ての下部と天板の上面のうちのいずれか一方にコンセントが埋め込まれ、他方には第一プラグが取り付けられており、火立ての上端から下端にわたって貫通孔が形成され、火立ての上端には前記貫通孔と連通する白色筒状部材が立設され、白色筒状部材の上端には電球のソケットが取り付けられ、ソケットと火立て下部の前記コンセントまたは第一プラグとが前記貫通孔から前記白色筒状部材内に挿通された火立て用電気コードで接続されており、天板の所定位置に設けられたスイッチと前記火立てのコンセントまたは第一プラグと壁等のコンセントに差し込まれる第二プラグとが電気コードで接続されているものである。
【０００８】
請求項２記載の本考案は、前記請求項１記載の火立て付き経机について、第一プラグが火立ての下部に取り付けられ、コンセントが天板上面に埋め込まれていることを特徴とするものである。
【０００９】
請求項３記載の本考案は、前記請求項１または請求項２記載の経机について、火立てが左右一対で立設されていることを特徴とするものである。
【００１０】
請求項４記載の本考案は、請求項１〜請求項３のうちのいずれか一項記載の火立て付き経机について、スイッチが天板の前部に取り付けられていることを特徴とするものである。
【考案の効果】
【００１１】
請求項１記載の本考案に係る経机は、火立ての下部と天板の上面のうちのいずれか一方にコンセントが埋め込まれ、他方には第一プラグが取り付けられた構造であるため、第一プラグをコンセントに差し込むだけで火立てが天板上に安定的に立設される。そして、第二プラグを家等の壁に設けられたコンセントに差し込んだ上、スイッチをＯＮにすることで火立ての上端に立設された白色円筒状部材上端の電球が点灯するため、外観的には火立てに立てたロウソクに火が灯ったような状態となる。そして、この場合、電源は家庭用の交流電源を利用しているため、毎日長時間電球を点灯させても、従来の乾電池式の場合のように、頻繁に乾電池を交換する必要がなく、また本物のロウソクを使う場合のような火災の危険性もない。
【００１２】
また更に、本考案の経机では、火立て下部と天板上面とがコンセントに対する第一プラグの差し込みによって一体化される構造であり、且つ火立て内に火立て用電気コードが挿通されているため、天板上で電気コードが邪魔になったり、火立てが倒れるおそれもない。
【００１３】
請求項２記載の本考案に係る経机は、前記請求項１記載の火立て付き経机について、第一プラグが火立ての下部に取り付けられ、コンセントが天板上面に埋め込まれているため、天板の上面全面が平面となり、天板上に第一プラグを設けられた場合に比べて天板上面の掃除が極めて簡単に行えるという利点がある。
【００１４】
請求項３記載の本考案に係る経机は、火立てが左右一対で立設されているため、外観的に今までの火立てと同様の配置となる。
【００１５】
請求項４記載の本考案に係る経机は、スイッチが天板の前部に取り付けられているため、スイッチ操作が容易に行えるという利点がある。
【考案を実施するための最良の形態】
【００１６】
次に、本考案の実施形態を図面にしたがって説明するが、本考案はかかる実施形態に限定されるものではなく、その要旨の範囲内で種々の変形実施が可能である。
【００１７】
図１〜図３に示すように、(1)は経机であって、市販のものと同様に木製であるが、本実施形態ではその天板(2)の上面における左右対称位置に凹部(3)が形成され、各凹部(3)内に埋込みコンセント(4A)(4B)が収容されており、また天板(2)の前面一側寄り部分には埋込みスイッチ(6)が収容されている。そして、図４に示すように、右側の埋込みコンセント(4B)は左側の埋込みコンセント(4A)および埋込みスイッチ(6)と電気コード(5)(7)(8)で接続されており、更に右側の埋込みコンセント(4B)には、先端に第二プラグ(9)が取り付けられた電気コード(11)が接続されている。また、電気コード(11)は埋込みスイッチ(6)にも接続されている。その結果、埋込みスイッチ(6)がＯＮの状態の場合に、埋込みコンセント(4A)(4B)に電気が供給され、埋込みスイッチ(6)がＯＦＦの状態では、埋込みコンセント(4A)(4B)に電気が供給されないこととなる。
【００１８】
図１、図３および図５に示すように、(12)は火立てであって、市販のものと同様に木製であるが、本実施形態では、その下端に凹部(14)が形成され、凹部(14)の底部から当該火立て(12)の上端にわたって貫通孔(13)が形成されており、更に火立て(12)の上端にはロウソクに似せた白色円筒状部材(10)が一体に立設され、白色円筒状部材(10)の上端部にはソケット(15)が取り付けられ、ソケット(15)には電球(18)が取り付けられている。また前記凹部(14)には第一プラグ(16)が組み込まれている。そして、第一プラグ(16)とソケット(15)とは貫通孔(13)内に挿通された電気コード(17)で接続されている。
【００１９】
本実施形態の火立て(12)を使用する場合、該火立て(12)下端の第一プラグ(16)を当該経机(1)の埋込みコンセント(4A) (4B)にそれぞれ差し込むことによって、火立て(12)が当該経机(1)の天板(2)上に立設される。そして、プラグ(9)を家等の壁に設けられたコンセントに差し込んだ後、埋込みスイッチ(6)をＯＮにすることで、火立て(12)上端の電球(18)が点灯するようになされている。
【産業上の利用可能性】
【００２０】
本考案に係る火立て付き経机は、机と火立てが一体となり、しかも火立ては火災のおそれもなく、また乾電池交換の必要もないため、非常に便利であることから、一般家庭は勿論、葬祭場や寺院等の種々の所で幅広く利用され得る。
【図面の簡単な説明】
【００２１】
【図１】実施形態に係る経机の正面図である。
【図２】火立てを外した状態での経机における天板の平面図である。
【図３】火立ての縦断面図である。
【図４】天板内における配線構造を示す概略図である。
【図５】火立ての底部を示す斜視図である。
【符号の説明】
【００２２】
(1)  経机
(2)  天板
(4A)(4B)  埋込コンセント
(6)  埋込スイッチ
(9)  第二プラグ
(10)  白色円筒状部材
(11)(17)  電気コード
(12)  火立て
(13)  貫通孔
(15)  ソケット
(16)  第一プラグ
(18)  電球
【図１】
0003123968.tif 000003
【図２】
0003123968.tif 000004
【図３】
0003123968.tif 000005
【図４】
0003123968.tif 000006
【図５】
0003123968.tif 000007